(57)【要約】【課題】カードに排出方向の過剰な勢いが加わった場合でも、カードがコネクタ本体から飛び出すことのないを提供する。【解決手段】幅方向に弾性変形することによりカード１の凹部１ｂに係合する係合部材５０に、カード１との係合解除方向に弾性変形する係合部材５０にカード１との係合方向への押圧力を付与する補助片５３を設けたので、カード１側への係合部材５０の押圧力Ｆを補助片５３によって増大させることができる。これにより、例えばコネクタ本体１０側に押圧したカード１を排出方向に弾くなど、カード１に排出方向への過剰な勢いが加わった場合でも、係合部材５０の係合部５３がカード１の凹部１ｂから容易に外れることがなく、カード１の飛び出しを確実に防止することができる。【選択図】図７
2005093177.tif 000002
【特許請求の範囲】
【請求項１】
一端側にカード挿入口を有するコネクタ本体と、コネクタ本体の他端側に設けられた複数のカード接続用端子と、コネクタ本体内に挿入されたカードと共にカード挿入方向に移動するスライド部材と、スライド部材をカード排出方向に付勢する付勢部材と、スライド部材をカードの所定の挿入位置でロックするロック機構と、スライド部材に設けられ、カードの幅方向一端側に設けられた凹部に係合する係合部材とを備え、コネクタ本体内にカードを挿入すると、カードの凹部に係合部材が幅方向に弾性変形して係合し、カードにカード排出方向への力を加えると、係合部材が幅方向に弾性変形して凹部との係合を解除されるようにしたカード用コネクタにおいて、
前記カードとの係合解除方向に弾性変形する係合部材にカードとの係合方向への押圧力を付与する補助部材を備えた
ことを特徴とするカード用コネクタ。
【請求項２】
前記補助部材を、スライド部材の所定部分に当接しながら弾性変形する板状の部材によって形成した
ことを特徴とする請求項１記載のカード用コネクタ。
【請求項３】
前記補助部材を、スライド部材との当接部がスライド部材の当接面を摺動しながら弾性変形するように形成した
ことを特徴とする請求項２記載のカード用コネクタ。
【請求項４】
前記補助部材を係合部材に一体に形成した
ことを特徴とする請求項１、２または３記載のカード用コネクタ。
【請求項５】
前記補助部材を折り曲げ部を介して係合部材と連続するように形成した
ことを特徴とする請求項４記載のカード用コネクタ。
【発明の詳細な説明】
【技術分野】
【０００１】
本発明は、例えば車載用オーディオ機器、携帯端末、パーソナルコンピュータ及びその周辺機器等に用いられる、いわゆるメモリーカードと電気的に接続するためのカード用コネクタに関するものである。
【背景技術】
【０００２】
従来、この種のカード用コネクタとしては、一端側にカード挿入口を有するコネクタ本体と、コネクタ本体の他端側に設けられた複数のカード接続用端子と、コネクタ本体内に挿入されたカードと共にカード挿入方向に移動するスライド部材と、スライド部材をカード排出方向に付勢するスプリングと、スライド部材をカードの所定の挿入位置でロックするロック機構と、スライド部材に取付けられた係合部材とを備え、コネクタ本体内にカードを挿入すると、カードの幅方向一端側に設けられた凹部に係合部材を幅方向に弾性変形させながら係合し、カードに反挿入への力を加えると、係合部材を幅方向に弾性変形させながら凹部との係合を解除するようにしたものが知られている（例えば、特許文献１参照。）。
【０００３】
また、前記ロック機構は、カードを挿入方向に押圧すると、所定の挿入位置でカードを保持するとともに、再度カードを挿入方向に押圧した後、押圧を解除するとカードを反挿入方向に排出する、いわゆるプッシュ・プッシュ式の構成からなる。
【特許文献１】特開２００２−１２４３４３号公報
【発明の開示】
【発明が解決しようとする課題】
【０００４】
ところで、前記プッシュ・プッシュ式のロック機構を用いたコネクタでは、カードを排出する際、スプリングの付勢力によってカードがコネクタ本体から飛び出さないようにカードの凹部に係合部材を係合しているが、例えばコネクタ本体側に押圧したカードを排出方向に弾くなど、カードに排出方向の過剰な勢いが加わると、係合部材がカードの凹部から外れてカードが外部に飛び出し、カードの損傷や紛失を生ずるという問題点があった。
【０００５】
また、カードが勢いよく飛び出すと、係合部材がカードとの係合解除方向に急激に変形するため、その衝撃で係合部材の脱落や損傷を生ずるおそれがあるという問題点もあった。
【０００６】
本発明は前記問題点に鑑みてなされたものであり、その目的とするところは、カードに排出方向の過剰な勢いが加わった場合でも、カードがコネクタ本体から飛び出すことのないを提供することにある。
【課題を解決するための手段】
【０００７】
本発明は前記目的を達成するために、一端側にカード挿入口を有するコネクタ本体と、コネクタ本体の他端側に設けられた複数のカード接続用端子と、コネクタ本体内に挿入されたカードと共にカード挿入方向に移動するスライド部材と、スライド部材をカード排出方向に付勢する付勢部材と、スライド部材をカードの所定の挿入位置でロックするロック機構と、スライド部材に設けられ、カードの幅方向一端側に設けられた凹部に係合する係合部材とを備え、コネクタ本体内にカードを挿入すると、カードの凹部に係合部材が幅方向に弾性変形して係合し、カードにカード排出方向への力を加えると、係合部材が幅方向に弾性変形して凹部との係合を解除されるようにしたカード用コネクタにおいて、前記カードとの係合解除方向に弾性変形する係合部材にカードとの係合方向への押圧力を付与する補助部材を備えている。
【０００８】
これにより、係合部材がカードとの係合解除方向に弾性変形すると、係合部材に補助部材によってカードとの係合方向への押圧力が付与されることから、カード側への係合部材の押圧力を補助片によって増大させることができる。この場合、係合部材がカードとの係合解除方向に弾性変形すると、補助片によって係合部材の変形量が抑制されることから、排出方向に勢いよく移動するカードから係合部材に衝撃が加わった場合でも、係合部材が急激に変形することがない。
【発明の効果】
【０００９】
本発明によれば、カードとの係合方向への係合部材の押圧力を増大させることができるので、例えばコネクタ本体側に押圧したカードを排出方向に弾くなど、カードに排出方向への過剰な勢いが加わった場合でも、係合部材の係合部がカード１の凹部から容易に外れることがなく、カードの飛び出しを確実に防止することができる。この場合、排出方向に勢いよく移動するカードから係合部材に衝撃が加わった場合でも、係合部材が急激に変形することがないので、衝撃による係合部材の脱落や損傷を確実に防止することができる。
【発明を実施するための最良の形態】
【００１０】
図１乃至図８は本発明の一実施形態を示すもので、図１はカード用コネクタ及びカードの斜視図、図２はカード挿入状態を示すカード用コネクタの斜視図、図３は上側ハウジングを取外した状態を示すカード用コネクタの斜視図、図４はスライド部材の斜視図、図５は係合部材の斜視図、図６はカード用コネクタの平面断面図、図７は係合部材の動作を示す要部平面断面図、図８は係合部材の接点高さと復元力との関係を示す図である。
【００１１】
このコネクタは、一端側からカード１が挿入されるコネクタ本体１０と、カード１と電気的に接続される複数のカード接続用端子２０と、カード１と共にカード挿入方向に移動するスライド部材３０と、スライド部材３０をカード排出方向に付勢する付勢部材としてのスプリング４０と、コネクタ本体内１０に挿入されたカード１に係合する係合部材５０と、スライド部材３０をカード１の所定の挿入位置でロックするロック機構６０とから構成されている。
【００１２】
カード１は、例えばメモリスチック、ＳＤカード等、内部に任意のデータを記録可能な記録媒体を有する周知のメモリーカードからなり、その一端側には内部の記録媒体と電気的に導通する複数の接点（図示せず）が設けられている。また、カード１の幅方向一端側には、スライド部材３０に係止する係止部１ａと、係合部材５０に係合する凹部１ｂがそれぞれ設けられている。
【００１３】
コネクタ本体１０は、金属板を成形してなる上側ハウジング１１と、合成樹脂の一体成型品からなる下側ハウジング１２とから構成され、各ハウジング１１，１２は互いに両側面部分を嵌合するように形成されている。各ハウジング１１，１２間にはカード１を収容可能な空間が形成され、コネクタ本体１０の一端側にはカード挿入口１０ａが設けられている。また、上側ハウジング１１の下端には幅方向一対の取付片１１ａが設けられ、各取付片１１ａによってコネクタ本体１０が基板等に取付けられるようになっている。
【００１４】
カード接続用端子２０はコネクタ本体１０の他端側に配置され、下側ハウジング１２に互いに幅方向に間隔をおいて保持されている。この場合、各端子２０の一端側はコネクタ本体１０内に配置され、その他端側はコネクタ本体１０の外部に配置されている。
【００１５】
スライド部材３０は下側ハウジング１２の幅方向一端側に前後方向に移動自在に設けられ、その幅方向一端側にはカード１の係止部１ａに係止する係止片３１が幅方向に延設されている。また、スライド部材３０の前端側にはロック機構に連結される孔３２が設けられ、後端側にはスプリング４０が挿入される溝３３が設けられている。
【００１６】
スプリング４０はコイル状に形成され、その一端を下側ハウジング１２の他端側に係止するとともに、その他端側はスライド部材３０の溝３３内の一端に係止している。
【００１７】
係合部材５０は幅方向に弾性変形可能な金属製の板状部材からなり、その長手方向一端側に設けた固定片５１をスライド部材３０の取付溝３４に圧入することにより、スライド部材３０の後端側に固定されている。係合部材５０の長手方向他端側にはカード１の凹部１ｂに嵌入可能な係合部５２が設けられ、係合部５２は先端側がカード１の挿入端に対して傾斜をなすように幅方向一端側（カード１側）に山形に突出している。また、係合部材５０の幅方向他端側には幅方向に弾性変形可能な補助片５３が設けられ、補助片５３は係合部材５０と一体に形成されている。即ち、補助片５３は係合部材５０の本体部５４とほぼ同等の上下幅に形成され、その一端側を折り曲げ部５５を介して本体部５４の長手方向中央部と連続するように形成されている。この場合、補助片５３と本体部５４との間には若干の隙間が形成されている。また、補助片５３の他端側にはスライド部材３０の一側面に当接する当接部５３ａが設けられ、当接部５３ａは係合部材５０の幅方向他端側（カード１の反対側）に向かって斜めに延びるように形成されている。この場合、当接部５３ａの先端側はスライド部材３０の一側面の反対側に僅かに屈曲している。また、係合部材５０に外力が加わっていない状態では、補助片５３の当接部５３ａとスライド部材３０の一側面との間に隙間Ａが形成されるようになっている。
【００１８】
ロック機構６０は、下側ハウジング１２の幅方向一端側（スライド部材３０の前方）に設けられたカム溝６１と、一端をスライド部材３０に連結された係合ピン６２とからなり、係合ピン６２の他端はカム溝６１に係合している。カム溝６１は、互いに連続する第１の溝部６１ａ、第２の溝部６１ｂ及び第３の溝部６１ｃからなり、各溝部６１ａ，６１ｂ，６１ｃは、プッシュ・プッシュ式ロック機構のハートカムを形成している。係合ピン６２は前後方向に延びる棒状の部材からなり、一端をスライド部材３０の孔３２に回動自在に挿入されるとともに、その他端はスライド部材３０の移動に伴ってカム溝６１内を移動するようになっている。
【００１９】
以上のように構成されたカード用コネクタにおいては、コネクタ本体１０のカード挿入口１０ａにカード１が挿入されると、カード１の係止部１ａがスライド部材３０の係止片３１に係止し、スライド部材３０がカード１と共にコネクタ本体１０の他端側に向かって移動する。その際、係合部材５０の係合部５２がカード１に当接するとともに、係合部５２の傾斜によって係合部材５０が幅方向他端側（カード１の反対側）に向かって弾性変形し、係合部５２がカード１の凹部１ｂに達すると、係合部５２がカード１の凹部１ｂに嵌入し、係合部材５０がカード１に係合する。また、ロック機構６０では、カード１の挿入によってスライド部材３０がカード挿入方向に移動すると、係合ピン６２の他端がカム溝６１の第１の溝部６１ａの一端側から他端側に移動する。この後、カード１の挿入方向への押圧を解除し、スライド部材３０がスプリング４０によってカード排出方向に移動すると、係合ピン６２が第１の溝部６１ａの他端から第２の溝部６１ｂの一端側に移動し、第２の溝部６１ｂの一端に係止する。これにより、カードがコネクタ本体１０内の所定位置にロックされる。
【００２０】
次に、カード１をコネクタ本体１０から排出する場合は、カード１を再度挿入方向に押圧すると、ロック機構６０の係合ピン６２が第２の溝部６１ｂから第３の溝部６１ｃの一端側に移動し、カード１の押圧を解除すると、係合ピン６２が第３の溝部６１ｃの他端側に移動する。これにより、スライド部材３０がスプリング４０によってカード排出方向に移動し、カード１が排出方向所定位置まで移動する。そして、カード１を把持して排出方向に力を加えると、係合部材５０が幅方向に弾性変形しながらカード１との係合を解除され、カード１がコネクタ本体１０内から取出される。
【００２１】
ここで、係合部材５０とカード１との係合が解除される際の係合部材５０の動作について説明する。
【００２２】
まず、カード１に排出方向の力が加わる前は、図７(a) に示すように係合部材５０の係合部５２はカード１の側面から凹部１ｂ内に長さＬ1 だけ突出している。その際、補助片５３の当接部５３ａはスライド部材３０の一側面から隙間Ａだけ離れている。
【００２３】
次に、カード１に排出方向の力が加わると、図７(b) に示すように係合部材５０の係合部５２が凹部１ｂの内面に押圧され、係合部材５０が幅方向他端側（カード１の反対側）に向かって弾性変形し、補助片５３の当接部５３ａがスライド部材３０の一側面に当接する。その際、係合部材５０の係合部５２はカード１の側面から凹部１ｂ内に長さＬ2 （＝Ｌ1 −Ａ）だけ突出している。
【００２４】
この後、更にカード１に排出方向の力が加わると、係合部材５０と共に補助片５３の当接部５３ａがスライド部材３０の一側面に当接しながら弾性変形し、凹部１ｂ内への係合部５２の突出長さがゼロになると、図７(c) に示すように係合部材５０の係合部５２が凹部１ｂからカード１の側面に乗り上げ、係合部材５０とカード１との係合が解除される。
【００２５】
前述の動作において、図８に示すように凹部１ｂ内への係合部５２の突出長さがＬ1 からＬ2 の間では、係合部材５０の本体部５４のみが弾性変形するため、カード１側への係合部材５０の押圧力Ｆは比較的小さい上昇率で増加する。次に、係合部５２の突出長さがＬ2 からゼロの間では、係合部材５０の本体部５４の弾性変形による復元力に加え、補助片５３の弾性変形による復元力と、補助片５３の当接部５３ａがスライド部材３０の一側面に当接しながら摺動する際の摩擦力が加わり、図８の実線に示すようにカード１側への係合部材５０の押圧力ＦはＬ1 からＬ2 間に比して格段に大きい上昇率で増加する。尚、補助片５３を有しない場合には（例えば従来例）、図８の破線に示すようにＬ1 からＬ2 間と同等の上昇率で増加するため、補助片５３を有する場合に比べて押圧力Ｆは格段に小さい。
【００２６】
このように、本実施形態のカード用コネクタによれば、幅方向に弾性変形することによりカード１の凹部１ｂに係合する係合部材５０に、カード１との係合解除方向に弾性変形する係合部材５０にカード１との係合方向への押圧力を付与する補助片５３を設けたので、カード１側への係合部材５０の押圧力Ｆを補助片５３によって増大させることができる。これにより、例えばコネクタ本体１０側に押圧したカード１を排出方向に弾くなど、カード１に排出方向への過剰な勢いが加わった場合でも、係合部材５０の係合部５３がカード１の凹部１ｂから容易に外れることがなく、カード１の飛び出しを確実に防止することができる。
【００２７】
この場合、係合部材５０がカード１との係合解除方向に弾性変形すると、補助片５３によって係合部材５０の変形量が抑制されることから、排出方向に勢いよく移動するカード１から係合部材５０に衝撃が加わった場合でも、係合部材５０が急激に変形することがなく、衝撃による係合部材５０の脱落や損傷を確実に防止することができる。
【００２８】
また、係合部材５０の補助片５３をスライド部材３０の一側面に当接しながら摺動するように形成したので、補助片５３の弾性変形による復元力に加え、補助片５３の摺動による摩擦力もカード１側への係合部材５０の押圧力Ｆとして生じさせることができ、押圧力Ｆを効果的に増大させることができる。
【００２９】
更に、補助片５３は係合部材５０とスライド部材３０の一側面との間に配置されているので、補助片５３を追加するためのスペースが新たに生ずることがなく、コネクタ本体１０の大型化を来すことがないという利点がある。
【００３０】
また、補助片５３を係合部材５０と一体に形成したので、部品点数及び組立工数を増加させることがなく、低コスト化を図ることができる。
【００３１】
この場合、補助片５３を折り曲げ部５５を介して係合部材５０の本体部５４と連続するように形成したので、例えば平板状の部材に係合部材５０の本体部５４と補助片５３とを一体に形成した後、折り曲げ部５５で折り曲げることにより、補助片５３を有する係合部材５０を容易に製造することができる。
【００３２】
尚、前記実施形態では、補助片５３を係合部材５０に一体に形成したものを示したが、補助片５３に相当する補助部材を別部品によって形成するようにしてもよい。
【図面の簡単な説明】
【００３３】
【図１】本発明の一実施形態を示すカード用コネクタ及びカードの斜視図
【図２】カード挿入状態を示すカード用コネクタの斜視図
【図３】上側ハウジングを取外した状態を示すカード用コネクタの斜視図
【図４】スライド部材の斜視図
【図５】係合部材の斜視図
【図６】カード用コネクタの平面断面図
【図７】係合部材の動作を示す要部平面断面図
【図８】係合部材の接点高さと復元力との関係を示す図
【符号の説明】
【００３４】
１…カード、１０…コネクタ本体、２０…カード接続用端子、３０…スライド部材、４０…スプリング、５０…係合部材、５３…補助片、５５…折り曲げ部、６０…ロック機構。
【図１】
2005093177.tif 000003
【図２】
2005093177.tif 000004
【図３】
2005093177.tif 000005
【図４】
2005093177.tif 000006
【図５】
2005093177.tif 000007
【図６】
2005093177.tif 000008
【図７】
2005093177.tif 000009
【図８】
2005093177.tif 000010